(57)【特許請求の範囲】
【請求項１】
画像データを記憶する記憶部と、
前記画像データのサンプル画像を表示する表示部と、
前記画像データを用いたプリント物の購入注文を受け付ける受付部と、
前記購入注文を受け付けると、サーバ装置において動画データを保存可能な場所を特定するための保存場所情報を生成する保存場所情報生成部と、
前記保存場所情報をコード化してコード画像を生成するコード化処理部と、
前記画像データと前記コード画像とを合成して合成画像を生成する画像合成部と、
前記合成画像を印画紙にプリントして出力するプリンタと、
を備える画像プリント装置であって
前記保存場所情報生成部は、前記動画データの保存可能な場所を特定する元番号に、購入注文毎に異なる追加桁番号を付加して、前記保存場所情報を生成することを特徴とする画像プリント装置。
【請求項２】
画像データを保存する記憶部と、
画像プリント装置へ前記画像データを送信する画像データ送信部と、
前記画像プリント装置からの要求に応じて動画データを保存可能な場所を特定する保存場所情報を該画像プリント装置へ送信する保存場所情報送信部と、
前記画像データ、及び前記保存場所情報をコード化したコード画像が前記画像プリント装置によりプリントされたプリント物から該コード画像を読み取って取得したコード画像から該保存場所情報を用いてアクセスしてきた第１携帯端末から動画データを受信し、該保存場所情報と紐付けて前記記憶部に格納する動画データ受信部と、
前記動画データの登録後、前記保存場所情報を利用してアクセスしてきた第２携帯端末へ前記動画データを送信する動画データ送信部と、
を備えるサーバ装置であって、
前記動画データ送信部は、前記第２携帯端末が前記プリント物から読み取った画像の特徴点と、前記記憶部に保存された画像データの特徴点とが一致した場合に、該第２携帯端末へ前記動画データを送信することを特徴とするサーバ装置。
【請求項３】
前記保存場所情報送信部は、前記画像プリント装置からの要求の度に異なる保存場所情報を送信することを特徴とする請求項２に記載のサーバ装置。
【請求項４】
アクセスしてきた携帯端末の端末情報を取得し、取得した端末情報に基づいて、１つの保存場所情報を利用してアクセスしてきた携帯端末の台数をカウントし、カウント値が上限値に達した後は、同一の保存場所情報を利用してアクセスしてきた新たな携帯端末へは動画データを送信しないことを特徴とする請求項２又は３に記載のサーバ装置。
【請求項５】
請求項２乃至４のいずれかに記載のサーバ装置から受信した画像データを記憶する記憶部と、
前記画像データのサンプル画像を表示する表示部と、
前記画像データの購入注文を受け付ける受付部と、
前記購入注文を受け付けると、前記サーバ装置から動画データを保存可能な場所を特定する保存場所情報を取得する保存場所情報取得部と、
前記保存場所情報をコード化してコード画像を生成するコード化処理部と、
前記画像データと前記コード画像とを合成して合成画像を生成する画像合成部と、
前記合成画像を印画紙にプリントして出力するプリンタと、
を備える画像プリント装置。
【請求項６】
前記サーバ装置から前記コード画像のプリント位置情報を受信し、該プリント位置情報に基づいて前記合成画像を生成することを特徴とする請求項５に記載の画像プリント装置。
【請求項７】
前記表示部に表示する前記サンプル画像は、ダミーのコード画像を含むことを特徴とする請求項５又は６に記載の画像プリント装置。
【発明の詳細な説明】
【技術分野】
【０００１】
本発明は、携帯端末においてＡＲ技術により動画コンテンツを表示するためのサーバ装置、画像プリント装置、及び動画データ配信システムに関する。
【背景技術】
【０００２】
デジタルカメラやスマートフォン等で撮影した画像のデジタルデータを読み込んでプリント出力する画像プリント装置が様々な場所に設置されている。例えば、利用者は、デジタルカメラで撮影した画像データが記憶された記憶媒体を持参し、記憶媒体内の画像データを画像プリント装置に読み込ませる。画像プリント装置は、記憶媒体から読み込んだ画像データの画像を表示し、利用者に提示する。そして、利用者が、プリントする画像を選択し、プリントサイズやプリント枚数を指定すると、画像プリント装置は画像を指定されたサイズでプリント出力する。このような画像プリント装置においては、利用者のニーズが多様化しており、常に新たな機能が求められている。
【０００３】
従来、タブレット端末やスマートフォン等の携帯端末で撮影した現実空間の画像上に、仮想物体等の画像を重畳して表示する拡張現実（ＡＲ：Ａｕｇｍｅｎｔｅｄ  Ｒｅａｌｉｔｙ）技術が知られている（例えば特許文献１、２参照）。
【先行技術文献】
【特許文献】
【０００４】
【特許文献１】特開２０１１−８７５２号公報
【特許文献２】特表２０１２−５０３２２８号公報
【発明の概要】
【発明が解決しようとする課題】
【０００５】
本発明は、上記従来の実状に鑑みてなされたものであり、携帯端末で撮影することで動画が重畳して再生されるようなプリント物を出力する画像プリント装置、携帯端末へ動画データを配信するサーバ装置及び動画データ配信システムを提供することを課題とする。
【課題を解決するための手段】
【０００６】
本発明の一態様による動画データ配信システムは、画像データを記憶する画像プリント装置と、携帯端末へ動画データを送信するサーバ装置とを備える動画データ配信システムであって、前記画像プリント装置は、前記画像データの購入注文を受け付けると、前記サーバ装置において動画データを保存可能な場所を特定するための保存場所情報を生成し、該保存場所情報をコード化してコード画像を生成し、該画像データと該コード画像とを合成した合成画像を印画紙にプリントしてプリント物を出力し、前記サーバ装置は、前記プリント物から前記コード画像を読み取って取得した前記保存場所情報を用いてアクセスしてきた第１携帯端末から動画データの登録を受け付け、該動画データの登録受け付け後、該保存場所情報を用いてアクセスしてきた第２携帯端末へ該動画データを送信することを特徴とする。
【０００７】
本発明の一態様による画像プリント装置は、画像データを記憶する記憶部と、前記画像データのサンプル画像を表示する表示部と、前記画像データを用いたプリント物の購入注文を受け付ける受付部と、前記購入注文を受け付けると、サーバ装置において動画データを保存可能な場所を特定するための保存場所情報を生成する保存場所情報生成部と、前記保存場所情報をコード化してコード画像を生成するコード化処理部と、前記画像データと前記コード画像とを合成して合成画像を生成する画像合成部と、前記合成画像を印画紙にプリントして出力するプリンタと、を備えるものである。
【０００８】
本発明の一態様による画像プリント装置において、前記保存場所情報生成部は、前記動画データの保存可能な場所を特定する元番号に、購入注文毎に異なる追加桁番号を付加して、前記保存場所情報を生成することを特徴とする。
【０００９】
本発明の一態様によるサーバ装置は、画像データを保存し、携帯端末から動画データの登録を受け付け、該動画データを携帯端末へ送信するサーバ装置であって、前記画像データと、動画データを保存可能な場所を特定する保存場所情報をコード化したコード画像とがプリントされたプリント物から該コード画像を読み取り、前記保存場所情報を取得してアクセスしてきた第１携帯端末から動画データの登録を受け付け、該動画データの登録受け付け後、該保存場所情報を用いてアクセスしてきた第２携帯端末へ該動画データを送信することを特徴とする
【００１０】
本発明の一態様による動画データ配信システムは、画像プリント装置と、該画像プリント装置へ画像データを送信するサーバ装置とを備える動画データ配信システムであって、前記画像プリント装置は、前記画像データを用いたプリント物の購入注文を受け付けると、前記サーバ装置から動画データを保存可能な場所を特定する保存場所情報を取得し、該保存場所情報をコード化してコード画像を生成し、該画像データと該コード画像とを合成した合成画像を印画紙にプリントしてプリント物を出力し、前記サーバ装置は、前記プリント物から前記コード画像を読み取って取得した前記保存場所情報を用いてアクセスしてきた第１携帯端末から動画データの登録を受け付け、該動画データの登録受け付け後、該保存場所情報を用いてアクセスしてきた第２携帯端末へ該動画データを送信することを特徴とする。
【００１１】
本発明の一態様によるサーバ装置は、画像データを保存する記憶部と、画像プリント装置へ前記画像データを送信する画像データ送信部と、前記画像プリント装置からの要求に応じて動画データを保存可能な場所を特定する保存場所情報を該画像プリント装置へ送信する保存場所情報送信部と、前記画像データ、及び前記保存場所情報をコード化したコード画像が前記画像プリント装置によりプリントされたプリント物から該コード画像を読み取って取得したコード画像から該保存場所情報を用いてアクセスしてきた第１携帯端末から動画データを受信し、該保存場所情報と紐付けて前記記憶部に格納する動画データ受信部と、前記動画データの登録後、前記保存場所情報を利用してアクセスしてきた第２携帯端末へ前記動画データを送信する動画データ送信部と、を備えるものである。
【００１２】
本発明の一態様によるサーバ装置において、前記動画データ送信部は、前記第２携帯端末が前記プリント物から読み取った画像の特徴点と、前記記憶部に保存された画像データの特徴点とが一致した場合に、該第２携帯端末へ前記動画データを送信することを特徴とする。
【００１３】
本発明の一態様によるサーバ装置において、前記保存場所情報送信部は、前記画像プリント装置からの要求の度に異なる保存場所情報を送信することを特徴とする。
【００１４】
本発明の一態様によるサーバ装置は、アクセスしてきた携帯端末の端末情報を取得し、取得した端末情報に基づいて、１つの保存場所情報を利用してアクセスしてきた携帯端末の台数をカウントし、カウント値が上限値に達した後は、同一の保存場所情報を利用してアクセスしてきた新たな携帯端末へは動画データを送信しないことを特徴とする。
【００１５】
本発明の一態様による画像プリント装置は、上記サーバ装置から受信した画像データを記憶する記憶部と、前記画像データのサンプル画像を表示する表示部と、前記画像データの購入注文を受け付ける受付部と、前記購入注文を受け付けると、前記サーバ装置から動画データを保存可能な場所を特定する保存場所情報を取得する保存場所情報取得部と、前記保存場所情報をコード化してコード画像を生成するコード化処理部と、前記画像データと前記コード画像とを合成して合成画像を生成する画像合成部と、前記合成画像を印画紙にプリントして出力するプリンタと、を備えるものである。
【００１６】
本発明の一態様による画像プリント装置は、前記サーバ装置から前記コード画像のプリント位置情報を受信し、該プリント位置情報に基づいて前記合成画像を生成することを特徴とする。
【００１７】
本発明の一態様による画像プリント装置において、前記表示部に表示する前記サンプル画像は、ダミーのコード画像を含むことを特徴とする。
【発明の効果】
【００１８】
本発明によれば、画像プリント装置から出力されたプリント物を携帯端末で撮影することで、プリント物に動画が重畳して再生されるように携帯端末へ動画データを配信することができる。
【図面の簡単な説明】
【００１９】
【図１】第１の実施形態に係る動画データ配信システムの概略構成図である。
【図２】画像プリント装置から出力されるプリント物の例を示す図である。
【図３】サーバ装置の構成図である。
【図４】画像プリント装置の構成図である。
【図５】画像販売プログラムを実行することで実現される機能ブロック図である。
【図６】画像プリント装置における画像購入時の表示画面の例を示す図である。
【図７】携帯端末の構成図である。
【図８】動画再生アプリを実行することで実現される機能ブロック図である。
【図９】第１の実施形態に係る動画データ配信方法を説明するシーケンス図である。
【図１０】第２の実施形態に係る画像プリント装置において画像販売プログラムを実行することで実現される機能ブロック図である。
【発明を実施するための形態】
【００２０】
以下、本発明の実施の形態を図面に基づいて説明する。
【００２１】
［第１の実施形態］
図１は、第１の実施形態に係る動画データ配信システムの概略構成図である。図１に示すように、動画データ配信システムは、サーバ装置１、画像プリント装置２、及び携帯端末４（４Ａ、４Ｂ）を備える。携帯端末４は、カメラや通信機能を持つスマートフォンやタブレット機器等である。サーバ装置１は、画像データを保存しており、この画像データと、サーバ装置１において動画データを保存可能な保存場所情報（例えばＵＲＬ）を、画像プリント装置２へ送信する。画像データは、例えば、観光名所の風景写真のデータである。
【００２２】
画像プリント装置２は、ユーザから料金が支払われると、サーバ装置１から受信した保存場所情報をコード化して二次元コードを生成する。そして、画像プリント装置２は、二次元コード画像と、サーバ装置１から受信した画像とを合成し、合成画像を印画紙にプリントしてプリント物３を出力する。これにより、図２に示すように、風景画像３１及び二次元コード３２がプリントされたプリント物３が作成される。
【００２３】
ユーザが所有する携帯端末４Ａ、４Ｂには、サーバ装置１への動画データの登録（アップロード）、及び動画データの再生を行うためのプログラム（動画登録再生アプリ）が記憶されている。携帯端末４Ａがこのプログラムを実行すると、二次元コードを読み取るために携帯端末４Ａのカメラ機能が起動する。ユーザが携帯端末４Ａのカメラでプリント物３上の二次元コード３２を撮影すると、携帯端末４Ａは二次元コード３２を読み取って保存場所情報を取得し、サーバ装置１にアクセスする。そして、携帯端末４Ａは、自端末に保存されている動画データのうち、ユーザに選択された動画データをサーバ装置１に登録する。
【００２４】
動画データの登録後、ユーザが携帯端末４Ｂでプログラムを実行し、携帯端末４Ｂのカメラでプリント物３上の二次元コード３２を撮影すると、携帯端末４Ｂは二次元コード３２を読み取って保存場所情報を取得し、サーバ装置１にアクセスする。携帯端末４Ｂは、サーバ装置１から画像データを取得するとともに、携帯端末４Ｂのカメラでプリント物３の画像３１を撮影するようユーザに指示する。ユーザが携帯端末４Ｂのカメラで画像３１を撮影すると、携帯端末４Ｂは、撮影された画像３１と、サーバ装置１から取得した画像との特徴点を比較して照合する。照合により２つの画像が一致した場合、携帯端末４Ｂはサーバ装置１から、読み取った保存場所情報で特定される領域に保存されている動画データを取得し、ディスプレイ上で動画を再生する。動画再生には公知のＡＲ技術が用いられ、携帯端末４Ｂのカメラで撮影しているプリント物３に動画が重畳して再生される。携帯端末４Ａと携帯端末４Ｂとは同じ端末でもよいし、異なる端末でもよい。
【００２５】
このように、動画データ配信システムでは、画像プリント装置２が、画像３１及び二次元コード３２をプリントしたプリント物３を販売する。プリント物３を購入したユーザは、携帯端末４（４Ａ）で二次元コードを読み取り、サーバ装置１にアクセスして動画データを登録・保存する。その後、ユーザは、携帯端末４（４Ｂ）で二次元コード３２を読み取り、サーバ装置１にアクセスして、登録されている動画データを受信・再生し、動画を視聴することができる。
【００２６】
これにより、例えば、ユーザＡはプリント物３を動画付きの写真としてユーザＢに譲渡することができる。ユーザＢは、携帯端末４を用いて、プリント物３の二次元コード３２からサーバ装置１にアクセスして、ユーザＡが登録した動画を楽しむことができる。
【００２７】
図３はサーバ装置１の構成図である。サーバ装置１は、画像データ送信部１１、保存場所情報送信部１２、動画データ受信部１３、動画データ送信部１４、動画配信管理部１５、及びデータベース１６を備え、例えばコンピュータにより構成される。
【００２８】
画像データ送信部１１は、画像プリント装置２及び携帯端末４へ画像データを送信する。例えば、画像データ送信部１１は、ライセンサから提供された画像データがサーバ装置１に登録されると、画像プリント装置２へ画像データを送信する。また、画像データ送信部１１は、携帯端末４が保存場所情報に基づいてサーバ装置１にアクセスした場合、この保存場所情報に対応する画像データを携帯端末４へ送信する。
【００２９】
保存場所情報送信部１２は、画像プリント装置２からの要求に応じて、動画データを保存可能な場所（記憶領域）を特定する保存場所情報を生成し、画像プリント装置２へ送信する。保存場所情報送信部１２は、画像プリント装置２からの要求の度に、異なる保存場所情報を生成する。
【００３０】
画像プリント装置２は、ユーザから画像が購入された際に、サーバ装置１に対して保存場所情報を要求する。画像プリント装置２は、保存場所情報の要求時に、ユーザから購入された画像の情報をサーバ装置１に通知する。保存場所情報送信部１２が生成した保存場所情報は、画像プリント装置２から通知されたユーザ購入画像情報と紐付けられて、データベース１６の管理情報に登録される。
【００３１】
動画データ受信部１３は、保存場所情報に基づいてサーバ装置１にアクセスしてきた携帯端末４から動画データを受信し、アクセス時に用いられた保存場所情報で特定されるデータベース１６の記憶領域に、この動画データを保存する。
【００３２】
動画データ保存の際、保存場所情報、画像データ、及び動画データが互いに紐付けられ、その対応関係がデータベース１６の管理情報に登録される。すなわち、ユーザが購入した画像の画像データ、画像データ購入に伴う画像プリント装置２からの要求に応じて生成した保存場所情報、及びこの保存場所情報を用いて携帯端末４からアップロードされた動画データが対応付けられる。
【００３３】
動画データ送信部１４は、携帯端末４からの要求に応じて、携帯端末４へ動画データを送信する。携帯端末４へ送信する動画データは、携帯端末４がアクセスしてきた際に用いた保存場所情報に対応したものである。保存場所情報を用いた携帯端末４からの最初のアクセスは、上述した動画データのアップロードである。そのため、サーバ装置１は、同一の保存場所情報を用いた携帯端末４からの２回目以降のアクセスで、動画データを送信する。
【００３４】
データベース（記憶部）１６は、画像データ、動画データ、及び管理情報を格納する。画像データは、例えばライセンサから提供されたものである。動画データは、ユーザが携帯端末４を用いて登録したものである。管理情報は、保存場所情報、画像データ、及び動画データの対応関係を含む。
【００３５】
データベース１６は、フラッシュメモリタイプ、ハードディスクタイプ、マルチメディアカードマイクロタイプ、カードタイプのメモリ（例えば、ＳＤ又はＸＤメモリなど）、ＲＡＭ、ＳＲＡＭ、ＲＯＭ、ＥＥＰＲＯＭ、ＰＲＯＭ、磁気メモリの少なくとも１つのタイプの記憶媒体を含む。
【００３６】
動画配信管理部１５は、管理情報を参照し、携帯端末４がアクセスしてきた際の保存場所情報から、対応する画像データや動画データを特定する。動画配信管理部１５が、保存場所情報を生成してもよい。
【００３７】
図４は、画像プリント装置２のブロック構成図である。図４に示すように、画像プリント装置２は、ＣＰＵ（中央処理部）２０、タッチパネル（表示部、操作受付部）２１、課金部２２、プリンタ２３、通信部２４、及びメモリ２５を有する。画像プリント装置２は、通信部２４を介してサーバ装置１と通信可能に接続されている。
【００３８】
課金部２２は、投入された貨幣を識別計数し、釣銭を出金する。プリンタ２３は、例えば昇華型熱転写方式の高解像度カラープリンタである。
【００３９】
メモリ２５は、制御プログラム、画像販売プログラム、サーバ装置１から受信した画像データ、及び携帯端末４から登録された動画データを記憶する。メモリ２５は、フラッシュメモリタイプ、ハードディスクタイプ、マルチメディアカードマイクロタイプ、カードタイプのメモリ（例えば、ＳＤ又はＸＤメモリなど）、ＲＡＭ、ＳＲＡＭ、ＲＯＭ、ＥＥＰＲＯＭ、ＰＲＯＭ、磁気メモリの少なくとも１つのタイプの記憶媒体を含む。
【００４０】
ＣＰＵ２０が制御プログラムを実行することで、画像プリント装置２の各部を制御する制御部として機能する。
【００４１】
ＣＰＵ２０が画像販売プログラムを実行することで、図５に示すように、サンプル画像表示部２６、保存場所情報取得部２７、コード化処理部２８、及び画像合成部２９が実現され、プリント物３の販売が行えるようになる。
【００４２】
サンプル画像表示部２６は、サーバ装置１から受信した画像データを用いて、図６に示すように、タッチパネル２１にプリント物３のサンプル画像５０を表示する。ユーザが購入画像を選択して料金を支払うと、保存場所情報取得部２７は保存場所情報をサーバ装置１から取得する。
【００４３】
コード化処理部２８は、保存場所情報取得部２７が取得した保存場所情報をコード化して二次元コード画像を生成する。画像合成部２９は、購入された画像に二次元コード画像を合成して合成画像を作成する。この合成画像をプリンタ２３が印画紙にプリントすることで、プリント物３が出力される。
【００４４】
上述したように、サーバ装置１は、画像プリント装置２からの要求の度に異なる保存場所情報を生成する。従って、画像プリント装置２が作成するプリント物３には、それぞれ異なる二次元コード３２がプリントされる。
【００４５】
画像プリント装置２は、デジタルカメラ等で撮影した画像データが記憶された記憶媒体から画像データを読み取り、読み取った画像をタッチパネル２１に表示し、ユーザから画像の選択、プリントサイズやプリント枚数の指定を受け付け、プリンタ２３により画像をプリント出力する機能を備えていてもよい。また、タッチパネル２１の代わりに、サンプル画像を表示する液晶ディスプレイ等の表示部と、購入画像の選択（注文）を受け付けるキーボードやマウス等の操作受付部とを用いてもよい。
【００４６】
図７は、携帯端末４のブロック構成図である。携帯端末４は、ＣＰＵ４０、メモリ４１、カメラ４２、通信部４３、及びディスプレイ（タッチパネル）４４を備える。
【００４７】
メモリ４１は、動画登録再生アプリ（アプリケーションプログラム）を記憶する。メモリ４１は、フラッシュメモリタイプ、ハードディスクタイプ、マルチメディアカードマイクロタイプ、カードタイプのメモリ（例えば、ＳＤ又はＸＤメモリなど）、ＲＡＭ、ＳＲＡＭ、ＲＯＭ、ＥＥＰＲＯＭ、ＰＲＯＭ、磁気メモリの少なくとも１つのタイプの記憶媒体を含む。
【００４８】
カメラ４２は、プリント物３にプリントされた二次元コード３２から保存場所情報を読み取る。通信部４３は、この保存場所情報を用いてサーバ装置１にアクセスする。
【００４９】
ＣＰＵ４０が動画再生アプリを実行することで、図８に示すように、登録部６０及び再生部７０が実現され、サーバ装置１への動画データ登録や、サーバ装置１からの動画の取得・再生が行えるようになる。
【００５０】
登録部６０は、動画選択部６１及びデータ送信部６２を有する。動画選択部６１は、ユーザから、メモリ４１に記憶されている動画データの選択を受け付ける。データ送信部６２は、通信部４３を介して、選択された動画データをサーバ装置１へ送信する。
【００５１】
再生部７０は、画像取得部７１、特徴点比較部７２、及び動画再生部７３を有する。
【００５２】
画像取得部７１は、カメラ４２を用いてプリント物３にプリントされた二次元コード３２から保存場所情報を読み取り、通信部４３を介してサーバ装置１にアクセスし、この保存場所情報に紐付けられた画像データを取得する。また、画像取得部７１はカメラ４２を用いてプリント物３上の画像３１を取得する。
【００５３】
特徴点比較部７２は、サーバ装置１から取得した画像と、カメラ４２で撮影したプリント物３の画像３１との特徴点を比較する。特徴点が合致した場合、動画再生部７３は、サーバ装置１から、保存場所情報に紐付けられた動画データを受信する。特徴点が不一致の場合、ディスプレイ４４に再生不可であることが表示される。
【００５４】
動画再生部７３は、公知のＡＲ技術を用いて、受信した動画データを、カメラ４２で撮影している画像３１に重畳させて再生する。例えば、検出した画像３１の特徴点を追跡してカメラ４２の位置姿勢を推定し、カメラ画像と動画の位置合わせを行う。
【００５５】
図９は、本実施形態による画像販売、及び動画登録・再生の処理の流れを示す図である。ここではユーザＡが携帯端末４Ａを用いて動画をサーバ装置１に登録し、ユーザＢが携帯端末４Ｂを用いて動画を再生する例について説明する。
【００５６】
ライセンサから販売する画像データが提供され、この画像データがデータベース１６に登録される（ステップＳ１０１）。サーバ装置１は画像プリント装置２へ画像データを送信する（ステップＳ１０２）。サーバ装置１から画像プリント装置２への画像データの送信タイミングは任意である。
【００５７】
送信された画像データは画像プリント装置２のメモリ２５に記憶される。これにより、画像プリント装置２で画像の販売が開始される。サンプル画像表示部２６は、画像データを用いて、図６に示すように、タッチパネル２１にプリント物３のサンプル画像５０を表示する。
【００５８】
ユーザＡが、画像プリント装置２を操作して画像を購入し、料金を支払うと（ステップＳ１０３）、画像プリント装置２の保存場所情報取得部２７は、ユーザが購入した画像の情報をサーバ装置１へ通知するとともに、動画データを保存可能な場所を特定する保存場所情報をサーバ装置１に要求する（ステップＳ１０４）。
【００５９】
サーバ装置１は、画像プリント装置２からの要求に基づいて保存場所情報を生成し、画像プリント装置２へ送信する（ステップＳ１０５）。サーバ装置１は、生成した保存場所情報と、画像プリント装置２から通知されたユーザ購入画像情報とを紐付けて、データベース１６の管理情報に登録する。
【００６０】
画像プリント装置２は、サーバ装置１から保存場所情報を取得すると、コード化処理部２８がこの保存場所情報をコード化し、二次元コード画像を生成する。そして、画像合成部２９が、この二次元コード画像と、ステップＳ１０３で購入された画像とを合成して、合成画像を生成する（ステップＳ１０６）。
【００６１】
プリンタ２３が、この合成画像を印画紙にプリントして出力する（ステップＳ１０７）。これにより、ユーザＡは、風景写真等の画像３１及び二次元コード３２がプリントされたプリント物３を入手することができる（ステップＳ１０８）。
【００６２】
ユーザＡが、携帯端末４Ａの動画再生アプリを実行すると、カメラ４２が起動し、ディスプレイ４５上に二次元コードの読み取り指示が表示される。カメラ４２でプリント物３の二次元コード３２を撮影することで、携帯端末４Ａは保存場所情報を取得する（ステップＳ１０９）。
【００６３】
携帯端末４Ａは、保存場所情報の取得に伴いサーバ装置１にアクセスする。サーバ装置１には、この保存場所情報を用いた動画データの登録がなされていないため、携帯端末４Ａの登録部６０が動画データの登録処理を開始する。
【００６４】
動画選択部６１が、ユーザＡから、携帯端末４Ａのメモリ２５に記憶されている動画データの選択を受け付ける（ステップＳ１１０）。データ送信部６２は、保存場所情報を用いて、選択された動画データをサーバ装置１へ送信する（ステップＳ１１１）。サーバ装置１は、受信した動画データを、ステップＳ１０３でユーザＡが購入した画像に対応する画像データ、及びステップＳ１０５でサーバ装置１から画像プリント装置２へ送信された保存場所情報と対応付けて保存する。その後、ユーザＡは、プリント物３をユーザＢに譲渡する（ステップＳ１１２）。
【００６５】
ユーザＢが、携帯端末４Ｂの動画登録再生アプリを実行すると、カメラ４２が起動し、ディスプレイ４４上に二次元コードの読み取り指示が表示される。カメラ４２でプリント物３の二次元コード３２を撮影することで、携帯端末４Ｂは保存場所情報を取得する（ステップＳ１１３）。
【００６６】
携帯端末４Ｂは、保存場所情報の取得に伴いサーバ装置１にアクセスする。サーバ装置１には、この保存場所情報を用いた動画データの登録が行われているため、携帯端末４Ｂの再生部７０が動画データの再生処理を開始する。
【００６７】
画像取得部７１が、サーバ装置１に対して、保存場所情報に対応する画像データを要求する（ステップＳ１１４）。サーバ装置１は、携帯端末４Ｂからアクセスされた際の保存場所情報に対応する画像データを携帯端末４Ｂへ送信する（ステップＳ１１５）。
【００６８】
携帯端末４Ｂがサーバ装置１から画像データを受信すると、ディスプレイ４５上に画像３１の読み取り指示が表示される。カメラ４２でプリント物３の画像３１を撮影すると、特徴点比較部７２が、サーバ装置１から受信した画像と、カメラ４２で撮影した画像３１との特徴点を比較する（ステップＳ１１６）。特徴点が合致すると、携帯端末４Ｂはサーバ装置１に対し動画データを要求する（ステップＳ１１７）。
【００６９】
サーバ装置１は、携帯端末４Ｂからアクセスされた際の保存場所情報に対応する動画データを携帯端末４Ｂへ送信する（ステップＳ１１８）。
【００７０】
携帯端末４Ｂが動画データを受信すると、動画再生部７３が、公知のＡＲ技術を用いて、カメラ４２で撮影している画像３１に重畳させて動画データを再生する（ステップＳ１１９）。
【００７１】
このように、本実施形態によれば、画像プリント装置２から出力されたプリント物３を携帯端末４で撮影することで、プリント物３に動画が重畳して再生されるように携帯端末４へ動画データを配信することができる。
【００７２】
動画データは、ユーザ自らサーバ装置１に登録できる。そのため、プリント物３を譲渡された他ユーザは、プリント物３にプリントされた画像だけでなく、動画も楽しむことができる。
【００７３】
サーバ装置１は、動画データの保存期間（例えば２年）を定め、この保存期間の終了が近付くと、アクセス実績のある携帯端末４に対し、保存期間の終了が近いことを通知してもよい。サーバ装置１は、携帯端末４から、保存期間の延長や動画データの買い取りを有料で受け付けてもよい。料金の支払いは例えばクレジットカードを使用したオンライン決済で行われる。ユーザが保存期間の延長を選択した場合、サーバ装置１は、登録データの保存期間を延長する。ユーザが動画データの買い取りを選択した場合、サーバ装置１は携帯端末４へ動画データを送信し、この動画データをデータベース１６から削除する。これにより、再生されなくなった動画データがサーバ装置１に登録されたままとなることを防止し、サーバ装置１のデータベース１６を効率良く使用できる。
【００７４】
サーバ装置１は、保存場所情報を画像プリント装置２へ送信する際、二次元コードのプリント位置情報をあわせて送信してもよい。画像プリント装置２は、サーバ装置１から保存場所情報と共にプリント位置情報を受信し、プリント位置情報に基づいて二次元コード画像を合成する。これにより、画像の特徴点比較（図９のステップＳ１１６）を行う際に、二次元コード３２が特徴点比較の妨げになることを防止できる。
【００７５】
図６に示すように、プリント物３のサンプル画像５０をタッチパネル２１に表示する場合、サンプル画像５０内の二次元コードを、ダミー情報に基づく二次元コードとすることが好ましい。これにより、タッチパネル２１に表示されたサンプル画像５０内の二次元コードを携帯端末で読み取り、動画データが登録されるような行為を防止できる。
【００７６】
サーバ装置１は、画像プリント装置２からの保存場所情報生成の要求に基づいて、プリント物３の販売枚数を集計してもよい。また、サーバ装置１は、プリント物３の販売枚数の上限を定め、販売枚数を制限してもよい。例えば、サーバ装置１は、販売枚数が上限に達したら、画像プリント装置２に対し、プリント物３が売り切れとなったことを通知する。
【００７７】
サーバ装置１は、動画再生のためにアクセスしてきた携帯端末４を特定する情報、例えばメーカ、設定言語、モデル名、ＩＰアドレスゾーン、ネットワークセグメント等のデバイス情報や、携帯端末４にインストールされている動画再生アプリの識別情報等を取得し、動画再生端末数を制限してもよい。サーバ装置１は、同一の保存場所情報を利用してアクセスしてきた携帯端末４の台数をカウントし、カウント値が上限値に達した後は、同一の保存場所情報を利用してアクセスしてきた新たな携帯端末へは動画データを送信しないようにする。これにより、プリント物３の複製・頒布を抑制できる。
【００７８】
画像プリント装置２は、同一画像のプリント物３が複数枚購入される場合、各プリント物３に異なる動画データが登録される場合と、複数のプリント物３に同じ動画データが登録される場合とで、プリント物３の単価を変えてもよい。
【００７９】
各プリント物３に異なる動画データが登録される場合、画像プリント装置２は、サーバ装置１に対し、購入枚数と同じ数の保存場所情報を要求する。そして、画像プリント装置２は、二次元コード３２の異なる複数のプリント物３を出力する。ユーザは、各プリント物３の二次元コード３２を読み取り、それぞれ異なる動画データを登録することができる。
【００８０】
一方、複数のプリント物３に同じ動画データが登録される場合、画像プリント装置２は、サーバ装置１に対し、保存場所情報を１つ要求する。そして、画像プリント装置２は、二次元コード３２が同じ複数のプリント物３を出力する。ユーザは、携帯端末４を用いて、複数のプリント物３のうちのいずれか１枚の二次元コード３２を読み取り、動画データを登録する。以後、携帯端末４で複数のプリント物３の二次元コード３２を読み取ることにより、共通の動画を再生することができる。また、この場合、サーバ装置１は、プリント物３の購入枚数に応じて、動画再生端末数を増加させてもよい。
【００８１】
動画データ配信システムは、複数の画像プリント装置２を備えていてもよい。
【００８２】
［第２の実施形態］
上記第１の実施形態では、サーバ装置１と画像プリント装置２とが通信可能に接続される例について説明したが、画像プリント装置２は、サーバ装置１との通信手段を備えていなくてもよい。
【００８３】
本実施形態では、画像データを格納した記憶媒体を画像プリント装置２に接続するなどにより、画像プリント装置２のメモリ２５に画像データを書き込む。
【００８４】
画像プリント装置２のＣＰＵ２０が画像販売プログラムを実行することで、図１０に示すように、サンプル画像表示部２６、保存場所情報生成部２７Ａ、コード化処理部２８、及び画像合成部２９が実現され、プリント物３の販売が行えるようになる。保存場所情報生成部２７Ａは、サーバ装置１内の動画データが保存可能な領域を特定する番号（以下、元番号と称する）に追加桁番号を付加して保存場所情報を生成する。画像が購入される毎に追加桁番号を変えることで、画像プリント装置２で販売されるプリント物３は、画像３１が同じであっても、二次元コード３２が異なったものとなる。サーバ装置１の内部処理により、追加桁番号に応じてデータベース１６の異なる領域に動画データが格納される。
【００８５】
追加桁番号は、連続する番号でもよいし、処理時間等から定まる番号でもよい。動画データ配信システムが複数の画像プリント装置２を備えている場合は、追加桁番号に、画像プリント装置２の号機ＩＤを含めてもよい。これにより、各画像プリント装置２で元番号に付加される追加桁番号が異なるものとなり、同じ保存場所情報が生成されることを防止できる。
【００８６】
このように画像プリント装置２が保存場所情報を生成することで、サーバ装置１における保存場所情報の管理負荷を軽減することができる。また、追加桁番号の発行数に上限を持たせることで、プリント物３の販売枚数を画像プリント装置２により管理することが可能となる。
【００８７】
サーバ装置１は、携帯端末４からアクセスされた際の保存場所情報（保存場所情報に含まれる追加桁番号）と、携帯端末４を特定するデバイス情報を管理情報に登録し、これらの情報を利用することで、動画を再生する携帯端末の台数を制限することができる。
【００８８】
画像プリント装置２が保存場所情報の生成に用いる元番号は、例えば係員が画像プリント装置２を操作してメモリ２５に書き込む。
【００８９】
上記第１及び第２の実施形態において、動画データをサーバ装置１に登録する際、動画の長さを編集し、動画データのデータサイズが所定値以下となるようにしてもよい。また、所定値より大きいデータサイズの動画データを登録する場合は、追加料金の支払いを求めるようにしてもよい。
【００９０】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００９１】
１  サーバ装置
２  画像プリント装置
３  プリント物
４  携帯端末
【図１】
0006435950.tif 000002
【図２】
0006435950.tif 000003
【図３】
0006435950.tif 000004
【図４】
0006435950.tif 000005
【図５】
0006435950.tif 000006
【図６】
0006435950.tif 000007
【図７】
0006435950.tif 000008
【図８】
0006435950.tif 000009
【図９】
0006435950.tif 000010
【図１０】
0006435950.tif 000011